(57)【特許請求の範囲】
【請求項１】
スライダー（３１）と、
メモリカード（４１）の接点（４２）に接続するコンタクト（１３）と、
メモリカード（４１）を装着するカード摺動部（１２）とスライダー（３１）を載置するスライダー載置部（１６）を備えたハウジング（１１）と、
カード摺動部（１２）とスライダー載置部（１６）を覆うように形成されたシールドカバー（２１）とからなるメモリカード用コネクタにおいて、
シールドカバー（２１）には、スライダー（３１）の移動をガイドするスライダーガイド穴（２７）と、クリック部（２６）を形成したバネ部（２５）を設け、スライダー（３１）には、メモリカード（４１）のスライダー係合部（４４）に係合するカード係合部（３４）と、バネ部（２５）に係合するバネ係合部（３６）を設け、
メモリカード（４１）の嵌合が完了した時に、カード係合部（３４）がスライダー係合部（４４）に嵌まり込んで係止し、バネ部（２５）にバネ係合部（３６）が係合することでメモリカード保持機能を有するとともに、バネ係合部（３６）にクリック部（２６）が入り込んでバネ部（２５）の弾性変形が解除されることでクリック感が発生し、
メモリカード（４１）が抜かれた時に、クリック部（２６）がスライダー（３１）の端部を付勢することで、スライダー（３１）の移動及び振動を規制することを特徴とするメモリカード用コネクタ。
【請求項２】
スライダー（３１）には、スライダーガイド穴（２７）に沿って移動できるボタン（３２）を設け、
ボタン（３２）を操作することでメモリカード（４１）を抜き出すことを特徴とする請求項１記載のメモリカード用コネクタ。
【発明の詳細な説明】
【技術分野】
【０００１】
本発明は、メモリカード用コネクタに関し、詳しくはボタン（レバー）イジェクト機構にカード保持機構及びスライダー逆戻り防止機構を付加したメモリカード用コネクタに関する。
【背景技術】
【０００２】
従来技術におけるメモリカード（ＩＣカード）と電気接続するメモリカード用コネクタとして、図７に示すように、絶縁ケース１０１の両端部１０１ａを起立させて断面コの字状とし、このコの字状の内部をメモリカード１１０が挿入されるカード挿入経路１０２としたメモリカード用コネクタ１００が周知である。
この絶縁ケース１０１には、カード挿入経路１０２に接触部が露出するように、多数の導電性コンタクト１０３が互いに平行に等ピッチで取付けられている。又、カード挿入経路１０２上方の開口面は、両側部１０１ａ、１０１ａ間に架設された金属カバー１０４によって覆われている。
【０００３】
図８に示すように、メモリカード１１０がカード挿入経路１０２内に挿入されると、金属カバー１０４と導電性コンタクト１０３との間で挟持され、メモリカード１１０の多数の電極部１１１が、対応する導電性コンタクト１０３とそれぞれ電気接続する。
【０００４】
絶縁ケース１０１の一方の側部１０１ａには、帯状金属板からなるストッパー片１１２を収容する凹溝１１３が形成され、ストッパー片１１２は、その基端が凹溝１１３内にある枢支ピン１１４回りで折り返され、基端を中心に絶縁ケース１０１に回転自在に支持されている。ストッパー片１１２に外力が作用しない状態でストッパー片１１２は、図９に示すように、ストッパー片１１２と凹溝１１３の内面との間に配設された捻りバネ１１５によって、図中時計回りに付勢され、その先端部がカード挿入経路１０２に突出するようになっている。
【０００５】
このように、ストッパー片１１２を取り付けることによって、ストッパー片１１２の先端部の突出位置と対応する部位がテーパー１１０ｂによって切り欠かれたメモリカード１１０が挿入されたときにのみ、メモリカード１１０を挿入経路１０２内に挿入可能とし、上記電極部１１１と導電性コンタクト１０３との電気接続を可能としている。
【０００６】
即ち、図９（Ａ）及び（Ｂ）に示すように、ストッパー片１１２の取り付け側にテーパー１１０ｂが形成されたメモリカード１１０を挿入経路１０２内に挿入すると、ストッパー片１１２の先端部にテーパー１１０ｂが当接し、ストッパー片１１２を凹溝１１３内に退避させることによって、メモリカード１１０が同図（Ｂ）に示す位置まで挿入可能となる。
【０００７】
一方、対応部位にテーパーが形成されていないメモリカード１２０を挿入しようとすると、同図（Ｃ）に示すように、その前端がストッパー片１１２の先端部に当接し、当接位置で挿入が規制される。
【０００８】
従って、電極部１１１が導電性コンタクト１０３側の面となる姿勢で挿入されたメモリカード１１０のみを挿入可能とし、表裏逆の姿勢のメモリカード１１０や、対応部位にテーパーが形成されていない他の種類のメモリカード１２０の誤挿入を防止できる。
【特許文献１】特開平１０−１８７８９６号公報
【発明の開示】
【発明が解決しようとする課題】
【０００９】
しかし、従来技術で説明した、メモリカード用コネクタにおいて、メモリカードが挿入されたとしても、その挿入されたメモリカードを保持するのに、信号端子及び金属カバー（シールドカバー）のカード押さえの限定された接点荷重に頼っており、高い保持力を確保できないという問題がある。
【００１０】
又、メモリカードを挿入時にクリック感がなく、操作確認を明確にできないという問題もある。
【００１１】
従って、メモリカードを挿入したときに、挿入したことが解る機構及び挿入された状態でカードが容易に抜けないようなロック機構に解決しなければならない課題を有する。
【課題を解決するための手段】
【００１２】
上記課題を解決するために、本願発明のメモリカード用コネクタは、次に示す構成にしたことである。
【００１３】
（１）メモリカード用コネクタは、スライダーと、メモリカードの接点に接続するコンタクトと、前記メモリカードを装着するカード摺動部と前記スライダーを載置するスライダー載置部を備えたハウジングと、前記カード摺動部と前記スライダー載置部を覆うように形成されたシールドカバーとからなるメモリカード用コネクタにおいて、前記シールドカバーには、前記スライダーの移動をガイドするスライダーガイド穴と、バネ部を設け、前記スライダーには、前記メモリカードのスライダー係合部に係合するカード係合部と前記バネ部に係合するバネ係合部を設け、前記メモリカードの嵌合が完了した時に、前記バネ部に前記バネ係合部が係合することである。
（２）前記バネ部には、クリック部を設け、前記バネ係合部に前記クリック部が挿入抜去されることでクリック感が発生することを特徴とする（１）記載のメモリカード用コネクタ。
（３）前記メモリカードが抜かれた時に、前記クリック部が前記スライダーの端部を付勢することで、前記スライダーの移動及び振動を規制することを特徴とする（１）記載のメモリカード用コネクタ。
（４）前記スライダーには、前記スライダーガイド穴に沿って移動できるボタンを設け、該ボタンを操作することで前記メモリカードを抜き出すことを特徴とする（１）記載のメモリカード用コネクタ。
【発明の効果】
【００１４】
本提案によれば、イジェクト用ボタンと一体になったスライダーにカード保持及び抜けを防止するロック部と、スライダーを保持するロック機構をシールドカバーに設けたことにより、カード嵌合部におけるカード保持機能を向上させることができる。
【００１５】
又、シールドカバーで形成されるバネとスライダーの凹凸で形成されるロック機構部によって、カードイジェクト後（ボタンイジェクト後）のスライダー逆戻り（移動）を防止すると共に、各ボタン位置にてクリック感を発生させ操作性を向上させることができる。
【発明を実施するための最良の形態】
【００１６】
次に、本願発明に係るメモリカード用コネクタの実施形態について、図面を参照して以下説明する。尚、従来技術で説明したものと同じものには同一符号を付与して説明する。
【００１７】
本願発明のメモリカード用コネクタは、図１及び図２、図３に示すように、複数のコンタクト１３を圧入固定して整列状態に配設し、コンタクト１３の横側でスライダー３１がコンタクト方向にスライドできるように形成されたスライダー載置部１６を設けたハウジング１１と、導電性部材で形成され三方に壁を設けたシールドカバー２１と、上部方向に突出したボタン３２を一体成形したスライダー３１とからなる。
【００１８】
ハウジング１１は、略四角形状に形成され、メモリカードを載せて奥行き方向に摺動させるためのカード摺動部１２を備え、カード摺動部１２の奥方向でコンタクト１３の接点部１４を覗かせるように切り欠いて形成されたコンタクト覗き穴１５と、このコンタクト覗き穴１５に隣接した位置にスライダー３１を載置するスライダー載置部１６を設け、スライダー載置部１６の端部、即ち、メモリカード４１を差し込む側にスライダー３１を当接して係止するスライダー当接部１７を備えた構造となっている。
【００１９】
シールドカバー２１は、ハウジング１１のコンタクト覗き穴１５から臨ましたコンタクト１３に対して被せるもので、ハウジングの形状と略同じに形成され、導電性板部材を左右と奥側を折り曲げて断面略コ字状に形成した左側に左側面壁２２を形成し、右側に右側面壁２３を形成し、奥側に背面壁２４を形成する。左側面壁２２の奥側にバネ部２５を備えた構成になっている。そして、左側面壁２２から奥行きの位置にスライダー３１のボタン３２を貫通させてスライダー３１をガイドするスライダーガイド穴２６を備えた構成になっている。バネ部２５は、その両端を左側面壁２２に係合させ中央部に内側に突出形成したバネ凸部２６を備えている。
【００２０】
スライダーガイド穴２７は、メモリカード４１が挿入される方向に沿って長く切り欠いて形成され、スライダー３１のボタン３２部分が嵌まり込んでガイドする構成になっている。メモリカード４１が挿入される側の穴２７ａが外側寄りに形成され、且つ奥側コーナに膨らみを持たせたボタン３２を外方向にガイドするボタンガイド部２８を設け、連続して略中間位置から内側方向にボタン３２をガイドするスライド部２９を設けた偏った穴２７ｂを形成する。
【００２１】
スライダー３１は、上方向に突出させた直方体形状のイジェクト用ボタン３２を備え、このボタン３２と一体成形したスライダー本体部３３を有する。スライダー本体部３３は、先端側にメモリカード４１のスライダー係合部４４に係合するフック状のカード係合部３４を備え、カード係合部３４から所定奥行きの位置から内側方向に膨らみを持たせて傾斜させて形成したカードガイド部３５を有し、ボタン３２の外横側にバネ部２５のクリック部２６に係合するバネ係合部３６を備えた構成になっている。
【００２２】
メモリカード４１は、絶縁性樹脂で略四角形状に形成され、片方の面に整列状態で複数の接点４２を備え、一方側であって先端から略中間位置を外側方向に延出させて傾斜部４３を備え、その傾斜部４３の延長上に凹状に窪ませたスライダー係合部４４を備えた構成になっている。
【００２３】
このような構成からなる各部材を組み立てるには、ハウジング１１の前方側からスライダー３１のボタン３２をスライダーガイド穴２７に係合させた状態でスライダー３１をスライダー載置部１６に載せ、シールドカバー２１の左側面壁をハウジング１１の左端部に係合させ、右側面壁をハウジング１１のスライダー載置部１６側の右端部に係合させて前方方向にスライドさせることにより背面壁２４がハウジング１１の後端部に当たることにより組み立ては完了する。
【００２４】
このようにして組み立てられたコネクタにおいては、図４に示すように、ハウジング１１のスライダー当接部１７にスライダー３１のカード係合部３４の先端が当接し、スライダーガイド穴２７に臨ましたボタン３２の一辺がスライダーガイド穴２７のボタンガイド部２８に当接してスライダー本体部３３も含めて外側方向に位置され、且つスライダー本体部３３の端部がクリック部２６に隣接した状態で付勢されている。そのため、スライダー３１自体の移動及び振動が規制される。勿論、スライダー３１が外側方向に位置しているためにカード係合部３４も外側方向に位置されている。
【００２５】
この状態で、カード摺動部１２にメモリカード４１を差し込むと、図４に示すように、カード摺動部１２にてハウジング１１とシールドカバー２１とで挟持された状態で差し込むことができる。このとき、スライダー３１は外側方向に位置しているため、カード係合部３４がメモリカード４１のスライダー係合部４４に対峙した状態となる。
【００２６】
この状態で更にメモリカード４１を押し込むと、図５に示すように、スライダー３１のカードガイド部３５にメモリカード４１の傾斜部４３が当接して押すことによりスライダー３１がボタンガイド部２８から外れ且つボタン３２のコーナがスライド部２９にガイドされてスライダー３１が内側方向に移動する。そうすると、スライダー３１の先端に設けてあるカード係合部３４がメモリカード４１のスライダー係合部４４に嵌まり込んで係止する。
【００２７】
この状態で更にメモリカード４１を押し込むと、図６に示すように、スライダー３１のカードガイド部３５にメモリカード４１の傾斜部４３で押されることによりスライダー３１がメモリカード４１と同じ差し込む方向に動き、スライダー３１の外側側面がバネ部２５のクリック部２６を跨ぐことによりバネ凸部２６を弾性変形させながら動き、バネ係合部３６にクリック部２６が入り込み弾性変形が解除される。この弾性変形したときにメモリカード４１の差し込むときに押圧感を感じ、弾性変形が解除されたときにクリック感を感じる。
同時に、メモリカード４１の傾斜部４３でスライダー３１のカードガイド部３５を押すことによりスライダーガイド穴２７の終端までボタン３２が動き、制止され、その時、メモリカード４１の接点４２がコンタクト１３の接点部１４と電気的に接触した状態となり、メモリカード４１の差し込みは完了する。
このとき、スライダー３１の先端に設けてあるカード係合部３４がメモリカード４１のスライダー係合部４４に嵌まり込んで係止されているため、メモリカード４１が抜けるといったことはない、所謂、ロック状態を維持する。
【００２８】
メモリカード４１を抜くときには、図６に示す状態から、ボタン３２を手でスライドさせると、スライダー３１のカードガイド部３５でメモリカード４１の傾斜部４３を押すことによりメモリカード４１が抜ける方向に動き、同時にクリック部２６に係合しているバネ係合部３６が外れ、且つスライダー係合部４４に嵌まり込んでいるカード係合部３４がそのままの状態で抜ける方向に動く。
そして、ボタン３２を更にスライドさせると、図５に示す状態から、ガードガイド部３５で傾斜部４３を更に押すことによりボタン３２のコーナがスライド部２９にガイドされてスライダー３１が外側方向に移動する。そうすると、図４に示す状態となり、嵌まり込んでいるカード係合部３４がスライダー係合部４４から外れた状態となり、ボタン３２が穴２７の先端位置で制止され、メモリカード４１はカード摺動部１２の位置にハウジング１１とシールドカバー２１に挟持された状態でおかれる。
又、メモリカード４１が抜かれた時に、クリック部２６がスライダー３１の端部を付勢することで、スライダー３１の移動及び振動を規制する。
【００２９】
このようにして、メモリカード４１を抜くときにもメモリカード４１をロックした状態から簡単にロックを解除して抜くことができるのである。
尚、実施例において、スライダー係合部４４は凹状に形成され、カード係合部３４はフック状の凸状に形成されて、カード係合部３４がスライダー係合部４４に入り込んでメモリカードの抜けを防止する構造となっているが、これに限定されることなく、凹凸が反対の形状にしてもよい。
更に、実施例において、バネ係合部３６は凹状に形成され、クリック部２６は凸状に形成されているが、これに限定されることなく、凹凸が反対の形状にしてもよい。
【産業上の利用可能性】
【００３０】
イジェクト用ボタンと一体になったスライダーにカード保持及び抜けを防止するロック部と、スライダーを保持するロック機構をシールドカバーに設けたことにより、カード嵌合部におけるカード保持機能を向上させることができるメモリカード用コネクタを提供する。
【図面の簡単な説明】
【００３１】
【図１】本願発明に係るメモリカード用コネクタの構成部品を略示的に示した説明図である。
【図２】同、メモリカード用コネクタの構成部品を背面側からみた様子を示した説明図である。
【図３】同、ハウジングにスライダーを載置した様子を示した説明図である。
【図４】同、コネクタにメモリカードを差し込んだときのスライダーの動きを示した説明図である。
【図５】同、コネクタにメモリカードを差込み、スライダーが内側方向に移動したときの様子を示した説明図である。
【図６】同、コネクタにメモリカードを差込み、ロックされた状態を示した説明図である。
【図７】従来技術におけるメモリカード用コネクタを示す平面図である。
【図８】同、メモリカード用コネクタの縦断面図である。
【図９】同、金属カバーを外し、（Ａ）はメモリカードを挿入する状態を、（Ｂ）はメモリカードをカード挿入経路内に挿入した状態を、（Ｃ）は異なる種類のメモリカードを挿入しようとした状態をそれぞれ示すメモリカード用コネクタの要部平面図である。
【符号の説明】
【００３２】
１１      ハウジング
１２      カード摺動部
１３      コンタクト
１４      接点部
１５      コンタクト覗き穴
１６      スライダー載置部
１７      スライダー当接部
２１      シールドカバー
２２      左側面壁
２３      右側面壁
２４      背面壁
２５      バネ部
２６      クリック部
２７      スライダーガイド穴
２８      ボタンガイド部
２９      スライド部
３１      スライダー
３２      ボタン
３３      スライダー本体部
３４      カード係合部
３５      カードガイド部
３６      バネ係合部
４１      メモリカード
４２      接点
４３      傾斜部
４４      スライダー係合部
【図１】
0005266893.tif 000002
【図２】
0005266893.tif 000003
【図３】
0005266893.tif 000004
【図４】
0005266893.tif 000005
【図５】
0005266893.tif 000006
【図６】
0005266893.tif 000007
【図７】
0005266893.tif 000008
【図８】
0005266893.tif 000009
【図９】
0005266893.tif 000010